(57)【要約】【課題】  板材や棒材の構成部材を結合して小物入れ等の組立式箱体とする上で、各構成部材を、工具を必要とする連結部材や接着剤等を一切用いずに、誰もが容易に結合して組み立てることができ、かつ、結合部の外観デザインがユニークな組立式箱体の構成部材の結合構造を提供する。【解決手段】  第１の板材に設けたホゾ部のうち、第２の板材表面に突出する突出部の基部外周に段差面を設け、かつ、突出部の外側面を段差面の内奥端に向けて逆テーパー状に傾斜させており、ホゾ部先端を通過させた弾性体から成るリング体が、基部外周において、前記第２の板材の表面、段差面、突出部の外側面を同時に押圧することにより両板材の結合箇所を固定する。【選択図】図３
0003179594.tif 000002
【実用新案登録請求の範囲】
【請求項１】
第１の板材に設けた突出部と嵌合部とから成るホゾ部を第２の板材に設けたホゾ孔を貫通させて嵌合し、第２の板材の表面から突出した突出部の基部外周を弾性体から成るリング体で緊縛して連結する板材の結合構造において、前記突出部の外側面は、前記基部外周に設けた段差面の内奥端に向けて逆テーパー状に傾斜させ、緊縛状態において前記リング体が前記第２の板材の表面と突出部の外側面を同時に押圧することを特徴とする、板材の結合構造。
【請求項２】
棒材に設けた突出部と嵌合部とから成るホゾ部を板材に設けたホゾ孔を貫通させて嵌合し、板材の表面から突出した突出部の基部外周を弾性体から成るリング体で緊縛して連結する棒材と板材の結合構造において、前記突出部の外側面は、前記基部外周に設けた段差面の内奥端に向けて逆テーパー状に傾斜させ、緊縛状態において前記リング体が前記板材の表面と突出部の外側面を同時に押圧することを特徴とする、棒材と板材の結合構造。
【請求項３】
前記段差面の内奥端には、前記基部外周に渡り掘削した溝部を有することを特徴とする、請求項１に記載の板材の結合構造。
【請求項４】
前記段差面の内奥端には、前記基部外周に渡り掘削した溝部を有することを特徴とする、請求項２に記載の棒材と板材の結合構造。
【請求項５】
請求項１又は３に記載の板材の結合構造と請求項２又は４に記載の棒材と板材の結合構造の少なくともいずれかの結合構造により構成部材を結合して成ることを特徴とする、組立式箱体。
【考案の詳細な説明】
【技術分野】
【０００１】
本考案は、組立式の箱体、具体的には様々な形状の卓上小物入れ、文具整理ケース、あるいは物入れ等の組立式家具等の構成部材の結合構造に関する。
【背景技術】
【０００２】
卓上小物入れ等の箱体は様々なものが市販されているが、複数の板材で外箱や中仕切りを構成する組立式のものが商品として嵩張らず、購入者が自分で組み立てることにより、組立コスト削減や作る楽しみも有する点で好適である。
【０００３】
組立式箱体は、誰でも容易に組立可能であるほか、インテリアの一部となるためデザイン性も優れていることが望ましく、従前から特許文献１や２に記載の簡便な構造のものが知られている。ただ、これらは完成品の形状に特徴を有するものの、構成部材の結合構造に面白みは乏しい。
【特許文献１】公開実用新案公報昭５５―０７３３８１号公報
【特許文献２】公開実用新案公報昭５６―１５４３８６号公報
【０００４】
一方、林業の担い手不足が進む中、我が国森林資源の適切な管理や健全な育成のためには間伐が重要であり、間伐材の有効活用の促進が求められている。生活雑貨等に用いる組立式箱体の部材として間伐材を利用することはその方途の一つである。そこで、組立が容易であるだけでなく、組み立て自体が楽しく、間伐材の質感を生かしたユニークな商品の提案が望まれていた。
【０００５】
ここで、複数の構成部材を結合して箱体を形成するに当たっては、一般的には、釘、ネジ、カスガイ等の連結部材や接着剤、あるいはそれらが併用される。しかし、連結部材の使用には通常カナヅチやスクリュードライバー等の工具を用いる必要がある。また、接着剤の使用の際は、接着面外へのはみ出しによる汚れを生じて完成品の美観を損ねるおそれもある。このように、子供や高齢者が箱体をきれいに組み立てるには多少なりとも困難があるため、工具を必要とする連結部材や接着剤等を用いずに容易に箱体を組立可能とする構成部材の結合構造が望ましい。
【考案の開示】
【考案が解決しようとする課題】
【０００６】
本考案は、間伐材から成形した様々な形状の板材や棒材の構成部材を結合して、卓上小物入れや文具整理ケース、物入れ等として使用できる組立式箱体とする上で、各構成部材を、工具を必要とする連結部材や接着剤等を一切用いずに、誰もが容易に結合して組み立てることができ、かつ、結合部の外観デザインがユニークな組立式箱体の構成部材の結合構造を提供することを目的とする。
【０００７】
かかる目的を達成するため、請求項１に記載した板材の結合構造は、第１の板材に設けた突出部と嵌合部とから成るホゾ部を第２の板材に設けたホゾ孔を貫通させて嵌合し、第２の板材の表面から突出した突出部の基部外周を弾性体から成るリング体で緊縛して連結する板材の結合構造において、前記突出部の外側面は、前記基部外周に設けた段差面の内奥端に向けて逆テーパー状に傾斜させ、緊縛状態において前記リング体が前記第２板材の表面と突出部の外側面を同時に押圧することを特徴とする。
【０００８】
工具を必要とする連結部材や接着剤を用いずに複数の板材を主に略直角に結合するための結合構造として、一方の部材に設けたホゾ部を他方の部材に設けたホゾ孔に嵌合して固定する「ホゾ組み技法」が古来より知られている。しかし、特に構成部材が木材の場合、
木材の経年収縮によりホゾ部がホゾ孔から容易に抜脱し易くなり、これを防ぐためにホゾ孔を小さめにすると嵌合時に部材間に大きな摩擦を生じて嵌合作業が困難になる。そのため、「ホゾ組み技法」においても、結合部に工具で楔を打ち込んだり接着剤等を併用する等して結合箇所を固定する必要があった。
【０００９】
これに対し、請求項１に記載の板材の結合構造においては、まず、第１の板材に設けたホゾ部のうち、第２の板材表面に突出する突出部の基部外周に段差面を設け、かつ、突出部の外側面を段差面の内奥端に向けて逆テーパー状に傾斜させており、ホゾ部先端を通過させた弾性体から成るリング体が、基部外周において、前記第２の板材の表面と突出部の外側面を同時に押圧することにより両板材の結合箇所を固定するようにしている。なお、前記段差面は第２の板材の表面と面一を成すことが望ましいが、必ずしもこれに限定されない。
【００１０】
ここで、リング体の内周延長を段差面内奥端の外周延長と同じかやや小さくしておくことにより、リング体を引き伸ばしてホゾ部先端を通過させた後、基部まで移動させて解放すれば、リング体はその弾性によって収縮して基部外周を緊縛する。かかる緊縛状態において、ホゾ部をホゾ孔から抜脱させようとする力が加わっても、第２の板材表面と突出部の外側面とがリング体を介して押圧仕合っており、かつ、外側面のテーパー状の傾斜が抜脱を阻止する。また、リング体として断面が略円形のリング状のゴムを用いれば、ホゾ部先端を通過させてすぐに解放すると、自らの弾性収縮により外側面上に沿って基部外周まで自然に移動する。なお、リング体の断面は略円形に限定されず、円筒形の弾性素材を裁断して出来る略方形の断面を有するものであっても良い。
【００１１】
以上により、本結合構造では、工具を必要とする連結部材や接着剤を一切用いることなく、ホゾ部とホゾ孔を嵌合させた後に単にリング体を手で引き伸ばしてホゾ部先端を通過させるだけで両板材を堅固に結合させることができる。また、リング体は、緊縛状態では自らの弾性により基部外周に密着するため、外観上、第２の板材表面で突出部がその外周をリング体により縁取られた形となり、デザイン上のアクセントを付与する効果を奏する。
【００１２】
次に、請求項２に記載した棒材と板材の結合構造は、棒材に設けた突出部と嵌合部とから成るホゾ部を板材に設けたホゾ孔を貫通させて嵌合し、板材の表面から突出した突出部の基部外周を弾性体から成るリング体で緊縛して連結する棒材と板材の結合構造において、前記突出部の外側面は、前記基部外周に設けた段差面の内奥端に向けて逆テーパー状に傾斜させ、緊縛状態において前記リング体が前記板材の表面と突出部の外側面を同時に押圧することを特徴とする。なお、前記段差面は第２の板材の表面と面一を成すことが望ましいが、必ずしもこれに限定されない。
【００１３】
本考案に係る結合構造は、請求項１に記載の板材の結合構造における第２の板材の代わりに棒材を用い、棒材の端部に段差面、テーパー状に傾斜した外側面を有する突出部と嵌合部から成るホゾ部を形成し、リング体にて基部外周を緊縛する点で共通する。構成部材に間伐材を用いる場合、板材よりも棒材に適する材料を無駄なく利用できるだけでなく、組立式箱体の用途やデザインに対応して、板材と棒材を自在に組み合わせることが可能となり、製品に多様なバリエーションを加えることができる。
【００１４】
次に、請求項３に記載の板材の結合構造は、請求項１に記載の板材の結合構造であって、前記段差面の内奥端に、前記基部外周に渡り掘削した溝部を有することを特徴とする。
【００１５】
たとえばリング体の断面が略円形の場合には、ホゾ部をホゾ孔から抜脱させようとする力が加わった場合には、リング体の断面が外側面に沿って回転してホゾ部先端方向に移動し、両板材の結合が緩む可能性がないとはいえない。本考案では、前記段差面の内奥端にさらに溝部を設けており、両板材の結合時に外側面に沿って段差面まで移動したリング体は溝部に嵌入した上で基部外周を緊縛固定する。そのため、ホゾ部をホゾ孔から抜脱させようとする力が加わっても、リング体は回転を抑止されて容易に溝部からは脱出しないから、両板材の結合の緩みを防止することができる。
【００１６】
また、請求項４に記載の棒材と板材の結合構造は、請求項３に記載の板材の結合構造における第２の板材の代わりに棒材を用い、前記段差面の内奥端にさらに溝部を設ける点で共通する。棒材を用いた場合、リング体の回転による移動は板材よりも生じ易いため、さらに溝部を設けることによる棒材と板材の結合の緩み防止効果はより有効となる。
【００１７】
請求項５に記載の組立式箱体は、請求項１又は３に記載の板材の結合構造と請求項２又は４に記載の棒材と板材の結合構造の少なくともいずれかの結合構造により構成部材を結合して成ることを特徴とする。
【００１８】
組立式箱体の用途・形状・構造や、構成部材としての板材又は棒材の形状・数量、板材・棒材に設けるホゾ部やホゾ孔の個数は限定されない。また、完成品の形状は必ずしも箱状に限定されるものではなく、たとえば板材による座面や背凭れ、卓面、棚板等に棒材の脚や支柱を結合させて成る椅子・テーブル・棚などの家具類に、本考案に係る構成部材の結合構造を適用することも可能である。
【考案の効果】
【００１９】
本考案に係る板材同士又は棒材と板材の結合構造によれば、工具を必要とする連結部材や接着剤等を用いずに箱体を組み立てることができ、子供や高齢者を含む誰でもが容易に様々な形状の卓上小物入れ、文具整理ケース、あるいは物入れ等の組立式家具等を製作可能とできる。また、完成品は結合部がリング体により縁取られた形となり、デザイン上のアクセントを付与する効果を奏する。さらに、構成部材に間伐材を用いることでその有効活用を促進でき、我が国森林資源の適切な管理や健全な育成にも資する。
【考案を実施するための最良の形態】
【００２０】
以下、本考案の実施形態について図を用いて詳細に説明する。図１は、本考案に係る構成部材の結合構造を適用して製作した箱体の一例を示す斜視図であり、図２は該箱体の構成部材の結合状態を示す分解斜視図である。なお該箱体は、特定の用途・目的を有するものではなく、板材同士あるいは棒材と板材の結合を例示するために例示したものである。
【００２１】
図３は、本考案に係る板材の結合構造の第一の実施形態を示す側面図であり、左図はホゾ部７を有する第１の板材２、ホゾ孔９を有する第２の板材３、及びリング体１１の、３つの構成部材を結合する前の状態を示し、右図は結合後の状態を示す。ホゾ部７は突出部７０と嵌合部７１とからなり、その境界部分に段差面７２が設けられて基部外周７５を形成し、段差面７２の内奥端７４からテーパー状に傾斜する外側面７３がホゾ部先端７６に向けて立ち上がる形状としている。ここで、段差面７２は基部外周７５の全体に渡って設けても良いが、図のように基部外周のうち板材２の断面部分２箇所のみに設けても良い。
【００２２】
結合時には、まず、ホゾ部７をホゾ孔９に貫通させて、嵌合部７１をホゾ孔９の断面部に嵌合させる。その後、図上方向からリング体１１をやや引き伸ばしながらホゾ部先端７６に被せる形で図下方に通過させると、リング体１１はその弾性収縮により外側面７３に沿って自ら内奥端７４に向けて下方に移動し、基部外周７５を緊縛する。この際、リング体１１は第２の板材の表面と外側面７３に同時に接触してこれらを押圧するので、両板材が抜脱しないように固定されて結合されるのである。
【００２３】
この状態で、ホゾ部７をホゾ孔９から抜脱しようとする外力が加わった場合、第２の板材３の表面がリング体１１を外側面７３に沿って図上方に押し上げようとする力が働くが、外側面７３はテーパー状の傾斜を有するため、リング体１１の緊縛力がこれに抵抗する。また、リング体１１が第２の板材３の表面と外側面７３との間に挟まれて弾性変形することにより、外側面７３との接触面積が増加して摩擦抵抗を増大させ、やはりリング体１１を移動させようとする力に抵抗するため、ホゾ部７のホゾ孔９からの抜脱が防止される。
【００２４】
図４は、前記の板材同士の結合工程を示す斜視図である。また、図５は、第１の板材２に代えて棒材６を第２の板材３に結合させる工程を示す斜視図である。棒材６の端部はホゾ部８を有し、該ホゾ部８は、突出部８０、ホゾ孔１０に嵌合する嵌合部８１とから構成される。また、突出部８０は、段差面８２、外側面８３を有する。結合の原理は前記板材の同士の結合と同様であり、ホゾ部８をホゾ孔１０に嵌合させた後、略円形のリング体１２をやや引き伸ばしながらホゾ部先端８６に被せる形で図下方に通過させると、リング体１２はその弾性収縮により外側面８３に沿って自ら内奥端（図示せず）に向けて下方に移動し、基部外周（図示せず）を緊縛する。この際、リング体１２は板材３の表面と外側面８３に同時に接触してこれらを押圧するので、両部材が抜脱しないように固定されて結合されるのである。
【００２５】
図６は、本考案に係る板材の結合構造の第二の実施形態を示す斜視図であり、左図はホゾ部７を有する第１の板材２、右図はホゾ部８を有する棒材６の一部を示す。いずれも第一の実施形態に用いる部材に溝部７７、８７を設けた点のみ異なる。
【００２６】
図７は、前記溝部７７を有する第１の板材２を用いた第二の実施形態に係る板材同士の結合構造を示す側面図である。溝部７７は、基部外周７５に渡りホゾ部７の軸線方向に掘削されており、その断面は、図ではリング体１１の断面外周が丁度嵌合する曲率としている。引き伸ばされながらホゾ部先端７６を通過させられたリング体１１はその弾性収縮により外側面７３に沿って自ら内奥端７４に向けて下方に移動して溝部７７に嵌合し、第２の板材３の表面及び段差面７２を同時に押圧する。
【００２７】
これにより、ホゾ部７をホゾ孔９から抜脱させようとする力が加わり、リング体１１の断面が外側面７３に沿って回転してホゾ部先端方向に移動しようとした場合でも、リング体１１はその回転を抑止されて容易に溝部７７からは脱出しないから、両板材の結合の緩みを防止することができる。また、リング体１１の一部が溝部７７に嵌合することにより、突出部７０に一部埋め込まれた形状を呈するため、外観上もすっきりとした印象を与えるという効果も奏する。なお、該溝部７７は、第１の板材２の断面部分２箇所のみに設けても良いが、基部外周７５の全体に渡って設けることがホゾ部７の抜脱防止の上でより好適である。
【００２８】
図８は、第１の板材２のホゾ部７において、段差面７２を設けず、また、外側面７３をテーパー状に傾斜させず垂直に起立させて、基部外周７４に沿って溝部７７のみを設けた第三の実施形態に係る板材同士の結合構造を示す側面図である。リング体１１が溝部７７に嵌り込んで基部外周７４を緊縛しつつ、第２の板材３の表面と外側面７３を同時に押圧する。本実施形態では、外側面７３が傾斜を成していないため、第１、第２の実施形態に比べてリング体１１の抜脱を抑止する効果は劣るが、ホゾ部７をホゾ孔９から抜脱しようとする外力が余り大きくない用途に適用する場合には、かかる実施形態で対応可能である。また、段差面７２や外側面７３を傾斜させる加工が不要となるため、ホゾ部７の加工が容易となり、コストダウンを図れる効果を奏する。
【００２９】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。たとえば、リング体１１、１２の断面形状を略円形に代えて略方形や略三角形としても良い。その場合、第二の板材３と突出部７１との境目にリング体がより密着した一体感の高い外観を呈するほか、外側面７３に沿った回転をより効果的に防止できる。
【産業上の利用可能性】
【００３０】
本考案に係る板材同士又は棒材と板材の結合構造は、工具を必要とする連結部材や接着剤等を用いずに容易に組立・分解可能な箱体を実現できるため、小物入れや組立式家具に留まらず、様々な構造物の構造にも応用可能である。
【図面の簡単な説明】
【００３１】
【図１】本考案に係る構成部材の結合構造を適用して製作した箱体の一例を示す斜視図
【図２】箱体の構成部材の結合状態を示す分解斜視図
【図３】本考案に係る板材の結合構造の第一の実施形態を示す側面図
【図４】板材同士の結合工程を示す斜視図
【図５】第１の板材２に代えて棒材６を第２の板材３に結合させる工程を示す斜視図
【図６】本考案に係る板材の結合構造の第二の実施形態を示す斜視図
【図７】溝部７７を有する第１の板材２を用いた第二の実施形態に係る板材同士の結合構造を示す側面図
【図８】第三の実施形態に係る板材同士の結合構造を示す側面図
【符号の説明】
【００３２】
１           箱体
２           第一の板材
３           第二の板材
４           箱体における底板材
５           箱体における中仕切板材
６           棒材
７、８    ホゾ部
７０       突出部
７１、８１  嵌合部
７２、８２  段差面
７３、８３  外側面
７４       内奥端
７５       基部外周
７６、８６  ホゾ部先端
７７    溝部
９、１０  ホゾ孔
１１、１２  リング体
【図１】
0003179594.tif 000003
【図２】
0003179594.tif 000004
【図３】
0003179594.tif 000005
【図４】
0003179594.tif 000006
【図５】
0003179594.tif 000007
【図６】
0003179594.tif 000008
【図７】
0003179594.tif 000009
【図８】
0003179594.tif 000010